(57)【要約】【課題】開状態としたときに、底面に付着した水を集めて流すことができる便座および便器装置を提供する。【解決手段】便座５は、中央に孔を有する環状に形成されており、便器本体１のリム部１１ｂに対向する底面５１ｂを有し、便器本体に回動可能に支持される。便座５は、開状態（起立状態）であるときに、底面５１ｂを伝って流下する水を左右方向の中央へ集める水返部５４が底面５１ｂの周縁部に設けられている。【選択図】図３
2019177004.tif 000002
【特許請求の範囲】
【請求項１】
中央に孔を有する環状に形成されており、便器本体のリム部に対向する底面を有し、便器本体に回動可能に支持される便座であって、
起立状態における前記底面を伝って流下する水を左右方向の中央へ集める水返部が前記底面の周縁部に設けられていることを特徴とする便座。
【請求項２】
前記水返部は、起立状態において前方側へ張り出すように形成されていることを特徴とする請求項１に記載の便座。
【請求項３】
前記水返部は、起立状態における最下端が左右方向の中央にあることを特徴とする請求項１または２に記載の便座。
【請求項４】
前記水返部は、左右方向の中央において切除した切欠部を有することを特徴とする請求項１または２に記載の便座。
【請求項５】
前記水返部は、前記底面を形成する部材と一体的に成形されていることを特徴とする請求項１から４のいずれか１項に記載の便座。
【請求項６】
前記水返部は、前記底面に固定されるパッキンによって形成されていることを特徴とする請求項１から４のいずれか１項に記載の便座。
【請求項７】
請求項１から６のいずれか１項に記載の便座と、
便器本体と、
を備えることを特徴とする便器装置。
【発明の詳細な説明】
【技術分野】
【０００１】
本発明は、便座および便器装置に関する。
【背景技術】
【０００２】
便器装置に備え付けられる多くの便座は、便鉢部の上部開口を囲むリム部に載せられ、便器装置の後部において左右方向を軸方向とするヒンジ軸を備えるヒンジ部によって回動可能に支持されている。便器装置は、手動または電動で便座を回動させることによって開閉させて使用される。
【０００３】
例えば、特許文献１に記載された便器装置は、便器本体と、該便器本体への洗浄水の供給源と、該便器本体の便鉢部のリム部に載置される便座と、を備える。便器装置は、リム部よりも上方から前記便鉢部の受け面に対して略水平方向に洗浄水を吐水することにより便座裏面も洗浄可能としている。
【先行技術文献】
【特許文献】
【０００４】
【特許文献１】特開２００２−０５４２１６号公報
【発明の概要】
【発明が解決しようとする課題】
【０００５】
特許文献１に記載された便器装置は、洗浄水によって洗浄された便座裏面に付着した水を集めるための板状の集約部を設けているが、便座の裏面全体に洗浄水が付着しているとの印象を使用者に与えてしまう。使用者は、残留している洗浄水を除去するためには、便座の裏面全体を布等で拭う必要があり、手間がかかってしまう。
【０００６】
本発明は、斯かる事情に鑑みてなされたものであり、その目的とするところは、開状態としたときに、底面に付着した水を集めて流すことができる便座および便器装置を提供することにある。
【課題を解決するための手段】
【０００７】
本発明に係る便座は、中央に孔を有する環状に形成されており、便器本体のリム部に対向する底面を有し、便器本体に回動可能に支持される便座であって、起立状態における前記底面を伝って流下する水を左右方向の中央へ集める水返部が前記底面の周縁部に設けられていることを特徴とする。
【発明の効果】
【０００８】
本発明によれば、便座は底面に付着した水を集めて流すことができる。
【図面の簡単な説明】
【０００９】
【図１】実施形態に係る便座を含む便器装置の外観を示す斜視図である。
【図２】便蓋を開状態とした便器装置の外観を示す斜視図である。
【図３】便蓋および便座を開状態とした便器装置の外観を示す斜視図である。
【図４】便蓋および便座を開状態とした便器装置の正面図である。
【図５】便蓋および便座を開状態とした便器装置の側面図である。
【図６】図４に示すＡ−Ａ線による便器装置の断面図である。
【図７】開状態における便座を伝う水の流下について説明するための模式図である。
【図８】変形例に係る便器装置の外観を示す斜視図である。
【図９】別の変形例に係る便器装置の外観を示す斜視図である。
【図１０】更に別の変形例に係る便器装置の外観を示す斜視図である。
【図１１】更に別の変形例に係る便器装置の外観を示す斜視図である。
【発明を実施するための形態】
【００１０】
以下、本発明を好適な実施の形態をもとに図１から図１１を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１は実施形態に係る便座５を含む便器装置１００の外観を示す斜視図である。図２は便蓋４を開状態とした便器装置１００の外観を示す斜視図であり、図３は便蓋４および便座５を開状態とした便器装置１００の外観を示す斜視図である。便器装置１００は、便器本体１、ケーシング２、カバー３、便蓋４および便座５等を備える。便器本体１は、前端Ｆ側に便鉢部１１、便鉢部１１後方の後部に部品配置部１２を有する。以下の説明において、便器装置１００について左右方向は、便器装置１００の前後方向に対して直交する水平方向であり、左および右は、前端Ｆ側から便器装置１００を見て定義されているものとする。
【００１２】
便鉢部１１は、汚物を受けるための鉢状の受け面１１ａ、および受け面１１ａの上部開口の周囲に形成されたリム部１１ｂを有し、リム部１１ｂの上面１１ｃに便座５が載せ置かれる。受け面１１ａには、例えば、前端Ｆから見て左上部の後方から前方へ向けて洗浄水が吐出される。受け面１１ａに吐出された洗浄水は、受け面１１ａに沿って一方向に旋回しつつ下方へ流下して受け面１１ａを洗い流し、受け面１１ａの底に接続される排水路（図示略）から汚物とともに排出される。
【００１３】
吐出される洗浄水は、便座５の底面５１ｂ（図３参照）にも注がれて底面５１ｂを洗浄するようにした場合、底面５１ｂに洗浄水が付着する可能性がある。また、吐出される洗浄水が底面５１ｂには注がれず、専ら受け面１１ａを洗浄するように構成されている場合にも、洗浄水の一部が飛散して底面５１ｂに付着することが考えられる。
【００１４】
部品配置部１２は、上端部１２ａの高さが便鉢部１１のリム部１１ｂとほぼ同じであり、上端部１２ａにはケーシング２が載せ置かれる。ケーシング２には、不図示の複数の機能部品が収容される。機能部品には、例えば、便器洗浄装置や、洗浄水供給装置、着座者の局部を洗浄する局部洗浄装置、便座５を暖める便座暖房装置、便鉢部１１内へ温風を送出する送風装置、および洗浄泡供給装置等が含まれる。
【００１５】
ケーシング２は、箱状または皿状等をなし、上述のような機能部品を収容して構成されている。ケーシング２は、前後方向の幅が便器本体１の後端部から便鉢部１１の後縁部付近に亘っており、左右方向の幅が便器本体１の左右方向の全幅に亘っている。ケーシング２は、周縁部２ａで部品配置部１２の上端部１２ａに載せ置かれる。
【００１６】
カバー３は、天板３ａおよび側板３ｂを備え、ケーシング２の上方および上部の側面を覆う。カバー３は、ケーシング２に対して着脱可能である。天板３ａは、後方側の角が丸みを帯びた平面視矩形状をなす。側板３ｂは、天板３ａの側辺から下方に延びるように、天板３ａの左右および後部に形成されている。天板３ａの前端辺３ｃは、左右方向に延びる直線状となっている。
【００１７】
便蓋４および便座５の後部は、便器本体１側としてのケーシング２に設けられたヒンジ部（図示略）に左右方向の軸まわりに回動可能に支持されている。便蓋４および便座５は、開状態としたときに、ケーシング２の前方において起立した状態となって停止する。
【００１８】
便蓋４は、便座５および便器本体１の便鉢部１１を覆う平板状の天板４ａ、並びに便座５の前方および左右の側方を覆う側板４ｂを備える。天板４ａは、便鉢部１１を覆うべく、前部側が半円状および後部側が矩形状をなし、後端辺４ｃが左右方向に延びる直線状としてある。
【００１９】
カバー３の天板３ａは、前端辺３ｃが便蓋４の天板４ａの後端辺４ｃに僅かな隙間を空けて突き合わされており、上面が便蓋４の天板４ａと面一としてある。また、天板３ａの前端辺３ｃおよび天板４ａの後端辺４ｃは、ともに平面視において直線状となっている。カバー３の天板３ａは、便蓋４のヒンジ部の上方を覆っており、埃や水等が該ヒンジ部に侵入し、堆積することを抑制する。
【００２０】
図１を参照し、カバー３の側板３ｂの前端辺は、便蓋４の側板４ｂの後端辺に僅かな隙間を空けて突き合わされており、側板３ｂおよび側板４ｂの外面は面一としてある。またカバー３の側板３ｂの前端辺は、便蓋４の側板４ｂの後端辺と高さ方向の長さ寸法が同一であり、カバー３および便蓋４について視覚的な一体感を与えている。
【００２１】
便座５は、座部５１および基端部５２を有し、ケーシング２側のヒンジ部（図示略）によって回動可能に支持されている。座部５１は、便鉢部１１における受け面１１ａの上部開口に対応する孔を有する円環板状に形成されており、座面部５１ａに使用者が着座し、底面５１ｂがリム部１１ｂに対向して接触する。底面５１ｂの周縁部には、開状態（起立状態）の便座５において前方へ張り出すように、前記孔の形状に対応する円環状に形成された水返部５４が設けられている。また水返部５４は、便座５を開状態（起立状態）としたときに、最下端が左右方向の中央に位置している。水返部５４は、便座５を閉状態とするとリム部１１ｂに接触し、水返部５４の外側へ洗浄水が流出することを防ぐように機能する。水返部５４は、便座５の底面５１ｂを形成する部材と一体的に成形したものであってもよいし、弾力性のある樹脂製のパッキンを底面５１ｂに接着等によって固定したものであってもよい。
【００２２】
図４は便蓋４および便座５を開状態とした便器装置１００の正面図である。図４において示す矢印のように、底面５１ｂを伝って流下する水は、水返部５４によって左右方向の外側から中央に向かい、底面５１ｂの後部５１ｃに集まる。
【００２３】
基端部５２は、表面５２ａが座面部５１ａに連なるように形成されている。また基端部５２は、左右方向の中央部において底面５１ｂ側に膨らみを持たせて内部に機能部品を収容する空間を形成した収容部５３を有する。収容部５３の底面５３ｂは、座部５１の底面５１ｂと面一となっている。収容部５３の底面５３ｂの後側の隅部５３ｃは、円弧状に丸みを帯びた形状としてある。
【００２４】
図５は便蓋４および便座５を開状態とした便器装置１００の側面図であり、図６は図４に示すＡ−Ａ線による便器装置１００の断面図である。便座５の底面５１ｂおよび収容部５３の底面５３ｂ（隅部５３ｃを含む）は、便座５が開状態のときに、便鉢部１１の受け面１１ａにおける後部傾斜面１１ｄの上方に位置している。
【００２５】
収容部５３は、例えば局部洗浄装置等の一部を収容する。局部洗浄装置は、座部５ａの中央方向へ前進し、収容部５３の内部へ後退するノズル６１ａを有し、収容部５３の内部には、ノズル６１ａを前進および後退させる駆動機構６１が収容されるようにする。ノズル６１ａに洗浄水を供給する局部洗浄装置の洗浄水供給部等の本体部（図示略）は、ケーシング２の内部に設けられている。ノズル６１ａには、局部洗浄装置の洗浄水供給部から洗浄水を供給するための配管が接続されており、駆動機構６１には本体部側から電気信号線が接続されている。
【００２６】
便座５の座面部５１ａ、および座面部５１ａに連なる基端部５２の表面５２ａは、便座５が開状態のときに、ケーシング２より前方に位置している。また、便座５の座面部５１ａ、および座面部５１ａに連なる基端部５２の表面５２ａは、便器本体１のリム部１１ｂの上面１１ｃに連続して形成された隔壁部１３の前面１３ａの上または前面１３ａよりも前方に位置している。
【００２７】
隔壁部１３は、リム部１１ｂの上面１１ｃに連続して形成されており、便鉢部１１の後方において左右方向に延びるように設けられており、リム部１１ｂより高く、便鉢部１１と、ケーシング２およびその内部に収容される機能部品とを隔てる。隔壁部１３の前面１３ａは、前方に向かうにつれて下方に傾斜する傾斜面となっている。また隔壁部１３の前面１３ａに連続する便鉢部１１の後部におけるリム部１１ｂの上面１１ｃも、前方に向かうにつれて下方に緩く傾斜する傾斜面としておくとよい。隔壁部１３の前面１３ａ、および前面１３ａに連続する便鉢部１１の後部におけるリム部１１ｂの上面１１ｃは、便座５が開状態のときに、前方へ露出している。隔壁部１３は、リム部１１ｂと一体的に成形されていることが好ましく、例えば陶器製であるとよい。
【００２８】
次に実施形態に係る便座５等の作用について説明する。図７は、開状態における便座５を伝う水の流下について説明するための模式図である。尚、図７は図６に示す断面図に相当している。
【００２９】
上述の図４に基づいて説明したとおり、底面５１ｂを伝って流下する水は、水返部５４によって左右方向の外側から中央に向かい、底面５１ｂの後部５１ｃに集まる。後部５１ｃに集まった水は、水返部５４における左右方向の中央部を乗り越えて流下する。便座５が開状態のときに水返部５４が収容部５３よりも前方に張り出していれば、水返部５４を乗り越えた水は、便鉢部１１の受け面１１ａにおける後部傾斜面１１ｄに滴下する。
【００３０】
また、便座５が開状態のときに水返部５４が収容部５３よりも前方に張り出していない場合には、水返部５４を乗り越えた水は収容部５３の底面５３ｂへ流れ出す。収容部５３の底面５３ｂの隅部５３ｃは、丸みを帯びており、図７に矢印で指示する隅部の一端Ｐから他端Ｑにかけて、面法線方向が次第に前方から下方向へ変化する。したがって、収容部５３の底面５３ｂへ流れ出した水は、底面５３ｂを伝って流下し、隅部５３ｃにおける一端Ｐから他端Ｑの間で、便鉢部１１の受け面１１ａにおける後部傾斜面１１ｄに滴下する。便器装置１００は、開状態の便座５の底面５１ｂを伝って流下する水を、便鉢部１１の受け面１１ａにおける後部傾斜面１１ｄに滴下させる。これにより、便器装置１００は、便鉢部１１の後方の部分、即ち便鉢部１１後方のリム部１１ｂにおける上面１１ｃ等の便器本体１の上面や、カバー３、ケーシング２への水の付着を抑制することができる。尚、便座５と便器本体１との位置関係に応じて、便座５から便鉢部１１の後部におけるリム部１１ｂの上面１１ｃに水が滴下するものであってもよい。この場合でも、便鉢部１１の後部におけるリム部１１ｂの上面１１ｃの左右方向の中央に水が滴下するので、左右方向に広がって水が滴下することが抑制される。
【００３１】
便座５は、底面５１ｂにおける円環状の水返部５４の内側に水が付着し、開状態（起立状態）において、水返部５４の左右方向の中央にあたる底面５１ｂの後部５１ｃに水を集めて下方へ流すことができる。水返部５４は、開状態において底面５１ｂから張り出すように設けられているので、閉状態としたときにリム部１１ｂに接触し、水返部５４の外側へ水が流出することを防ぐ。水返部５４は、便座５を開状態としたときに、最下端が左右方向の中央に位置しているので、便座５の底面５１ｂを伝って流下する水を左右方向の中央に集めることができる。水返部５４は、便座５の底面５１ｂを形成する部材と一体的に成形したものとすることにより、組立の手間を省くことができる。また水返部５４は、底面５１ｂに固定される別部材のパッキンで形成されるものとすることによって、該パッキンに適度な弾力性を持たせてリム部１１ｂとの密着性を高めることができる。
【００３２】
さらに他端Ｑを超えて後方へ流れた水は、隔壁部１３の前面１３ａ、および前面１３ａに連続する便鉢部１１の後部におけるリム部１１ｂの上面１１ｃに滴下する。また、座面部５１ａおよび基端部５２の表面５２ａを伝って流下する水は、隔壁部１３の前面１３ａ、および前面１３ａに連続する便鉢部１１の後部におけるリム部１１ｂの上面１１ｃに滴下する。
【００３３】
隔壁部１３の前面１３ａは、前方に向かうにつれて下方に傾斜する傾斜面となっており、前面１３ａに滴下した水は、リム部１１ｂの上面１１ｃへ流下する。また隔壁部１３の前面１３ａに連続する便鉢部１１の後部におけるリム部１１ｂの上面１１ｃが、前方に向かうにつれて下方に緩く傾斜する傾斜面としてあれば、リム部１１ｂの上面１１ｃを伝って、便鉢部１１の後部傾斜面１１ｄへと流れ落ちる。
【００３４】
隔壁部１３の前面１３ａ、および前面１３ａに連続する便鉢部１１の後部におけるリム部１１ｂの上面１１ｃに流れ落ちた水は、該前面１３ａおよび該上面１１ｃに留まった場合にも、前方へ露出しているため、布で拭うなどして容易に清掃することができる。リム部１１ｂの上面１１ｃと開状態の便座５との隙間は、手指および布の厚さが入る程度、例えば３ｃｍあれば清掃性が良好となり、便座５を回動可能に支持するヒンジ部の高さおよび便座５の後端面の配置に依存して３〜１０数ｃｍ程度の隙間を設けることができる。また、隔壁部１３をリム部１１ｂと一体的に成形された陶器製とすることによって、清掃性が更に良好となる。
【００３５】
便座５は全体として、開状態において、隔壁部１３の前方に設けられており、機能部品を収容するケーシング２は便座５の後方に位置するため、機能部品およびケーシング２に水が降りかかることが抑制される。
【００３６】
便座５に収容部５３を設け、機能部品の一部を収容部５３に配設することによって、ケーシング２に配設する機能部品を削減することができる。これにより、ケーシング２は、コンパクト化することができ、便器装置１００における便鉢部１１および便座５の後部への配置が容易になる。
【００３７】
便座５の収容部５３は、便座５の後部における基端部５２の中央部分に、底面５１ｂ側へ膨らむように設けられており、便座５の内部に機能部品の一部を配設することができる。
【００３８】
（変形例）
図８は、変形例に係る便器装置１００の外観を示す斜視図である。この変形例に係る便座５の水返部５４は、後部における中央部に切欠部５４ａを有している。便座５は、切欠部５４ａを設けることによって、底面５１ｂにおける水返部５４の内側に付着した水が、開状態において、水返部５４の左右方向の中央にあたる底面５１ｂの後部５１ｃに集められ、切欠部５４ａから下方へ流すことができる。
【００３９】
図９は、別の変形例に係る便器装置１００の外観を示す斜視図である。この変形例に係る便座５の水返部５４は、便座５が開状態であるときに、下方に凸となる屈曲部５４ｂを後部における中央部に有している。便座５は、屈曲部５４ｂを設けることによって、底面５１ｂにおける水返部５４の内側に付着した水が、開状態において、水返部５４の左右方向の中央にあたる底面５１ｂの後部５１ｃに集められ、屈曲部５４ｂから下方へ流すことができる。
【００４０】
図１０は、更に別の変形例に係る便器装置１００の外観を示す斜視図である。この変形例に係る便座５の水返部５４は、便座５が開状態であるときに、下方向または前方斜め下方向に延びるように形成された舌片状の水切部５４ｃを有する。水切部５４ｃは、便座５を開状態としたときに水返部５４の下端中央部に設けられている。便座５は、水切部５４ｃを設けることによって、底面５１ｂにおける水返部５４の内側に付着した水が、開状態において、水返部５４の左右方向の中央にあたる底面５１ｂの後部５１ｃに集められ、水切部５４ｃから下方へ流すことができる。
【００４１】
図１１は、更に別の変形例に係る便器装置１００の外観を示す斜視図である。この変形例に係る便座５の水返部５４は、便座５の底面５１ｂを傾斜させてテーパ状とすることによって形成されている。便座５が開状態であるときに、底面５１ｂにおける周縁側のＲ点は、内周側のＳ点より前方に位置しており、全周にわたって周縁部が前方へ張り出すように底面５１ｂが傾斜するテーパ状となっている。便座５は、テーパ状の水返部５４によって、底面５１ｂに付着した水が、開状態において、水返部５４の左右方向の中央にあたる底面５１ｂの後部５１ｃに集められ、下方へ流すことができる。
【００４２】
次に、実施形態および変形例に係る便座５の特徴を説明する。
本発明の実施形態および変形例に係る便座５は、中央に孔を有する環状に形成されており、便器本体１のリム部１１ｂに対向する底面５１ｂを有し、便器本体に回動可能に支持される。便座５は、開状態（起立状態）であるときに、底面５１ｂを伝って流下する水を左右方向の中央へ集める水返部５４が底面５１ｂの周縁部に設けられている。これによって、便座５は、底面５１ｂに付着した水を集めて流すことができる。
【００４３】
また水返部５４は、便座５が開状態であるときに、前方側へ張り出すように形成されている。これにより、便座５は、閉状態としたときに、水返部５４がリム部１１ｂに接触し、水返部５４の外側へ水が流出することを防ぐ。
【００４４】
また水返部５４は、便座５が開状態であるときに、最下端が左右方向の中央にある。これにより、便座５は、底面５１ｂを伝って流下する水を左右方向の中央に集めることができる。
【００４５】
また水返部５４は、左右方向の中央において切除した切欠部５４ａを有する。これにより、便座５は、底面５１ｂにおける水返部５４の内側に付着した水を、切欠部５４ａから下方へ流すことができる。
【００４６】
また水返部５４は、底面５１ｂを形成する部材と一体的に成形されている。これにより、便座５は、組立の手間を省くことができる。
【００４７】
また水返部５４は、底面５１ｂに固定されるパッキンによって形成されている。これにより、便座５は、該パッキンに適度な弾力性を持たせてリム部１１ｂとの密着性を高めることができる。
【００４８】
また便器装置１００は、上述の便座５と、便器本体１と、を備える。これにより、便器装置１００は、便座５の底面５１ｂに付着した水を集めて流すことができる。
【００４９】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５０】
１  便器本体、  １１ｂ  リム部、  ５  便座、
５１ｂ  底面、  ５４  水返部、  ５４ａ  切欠部、  １００  便器装置。
【図１】
2019177004.tif 000003
【図２】
2019177004.tif 000004
【図３】
2019177004.tif 000005
【図４】
2019177004.tif 000006
【図５】
2019177004.tif 000007
【図６】
2019177004.tif 000008
【図７】
2019177004.tif 000009
【図８】
2019177004.tif 000010
【図９】
2019177004.tif 000011
【図１０】
2019177004.tif 000012
【図１１】
2019177004.tif 000013